(57)【要約】【課題】ソーシャルメディアに原稿情報を投稿するときの利便性を向上させる。【解決手段】画像処理装置は、通信を行うための通信部と、原稿を読み取って読取データを生成する画像読取部と、原稿に記載された情報である原稿情報をソーシャルメディアに投稿するための投稿データを読取データに基づき生成し、通信部を用いて、ソーシャルメディアを提供するサーバーに投稿データを送信する制御部と、を備える。【選択図】図３
2020099017.tif 000002
【特許請求の範囲】
【請求項１】
通信を行うための通信部と、
原稿を読み取って読取データを生成する画像読取部と、
前記原稿に記載された情報である原稿情報をソーシャルメディアに投稿するための投稿データを前記読取データに基づき生成し、前記通信部を用いて、前記ソーシャルメディアを提供するサーバーに前記投稿データを送信する制御部と、を備えることを特徴とする画像処理装置。
【請求項２】
前記ソーシャルメディアに投稿する前記原稿情報の種類をテキストおよび画像から指定する種類指定操作を受け付ける操作パネルを備え、
前記種類指定操作で指定された前記原稿情報の種類が前記テキストである場合、前記制御部は、前記読取データの文字領域に対する文字認識処理で抽出したテキストデータを含む前記投稿データを生成し、
前記種類指定操作で指定された前記原稿情報の種類が前記画像である場合、前記制御部は、前記読取データの画像領域の画像データを含む前記投稿データを生成し、
前記種類指定操作で指定された前記原稿情報の種類が前記テキストおよび前記画像である場合、前記制御部は、前記テキストデータおよび前記画像データを含む前記投稿データを生成することを特徴とする請求項１に記載の画像処理装置。
【請求項３】
変換対象単語と前記変換対象単語に対応する変換後の単語とを示す変換情報を記憶する記憶部を備え、
前記制御部は、前記テキストデータを含む前記投稿データを生成する場合、前記操作パネルが変換指示を受け付けると、前記テキストデータに存在する前記変換対象単語を対応する前記単語に変換することを特徴とする請求項２に記載の画像処理装置。
【請求項４】
前記制御部は、複数の前記ソーシャルメディアのいずれかを優先メディアに設定し、
前記操作パネルは、複数の前記ソーシャルメディアにそれぞれ対応する複数のアイコンのうち前記優先メディアのアイコンである第１アイコンだけを配した画面を表示し、
前記制御部は、操作を受けた前記第１アイコンに対応する前記優先メディアの前記サーバーに前記投稿データを送信することを特徴とする請求項１〜３のいずれか１項に記載の画像処理装置。
【請求項５】
前記制御部は、前記読取データに所定情報が存在する場合、前記読取データに前記所定情報が存在する場合の投稿先として予め定められた前記ソーシャルメディアを前記優先メディアに設定することを特徴とする請求項４に記載の画像処理装置。
【請求項６】
前記制御部は、投稿する前記原稿情報の種類がテキストである場合、前記読取データの文字領域に対する文字認識処理で抽出したテキストデータの文字数に基づき前記優先メディアを設定することを特徴とする請求項４に記載の画像処理装置。
【請求項７】
前記制御部は、投稿する前記原稿情報の種類が画像である場合、投稿する前記原稿情報の種類が前記画像である場合の投稿先として予め定められた前記ソーシャルメディアを前記優先メディアに設定することを特徴とする請求項４に記載の画像処理装置。
【請求項８】
前記制御部は、複数の前記ソーシャルメディアのうち、ログイン回数が最も多い前記ソーシャルメディアを前記優先メディアに設定することを特徴とする請求項４に記載の画像処理装置。
【請求項９】
前記操作パネルは、前記第１アイコンの表示中、所定操作を受け付けると、前記優先メディア以外の前記ソーシャルメディアのアイコンである第２アイコンを配した画面を表示し、
前記制御部は、操作を受けた前記第２アイコンに対応する前記ソーシャルメディアの前記サーバーに前記投稿データを送信することを特徴とする請求項４〜８のいずれか１項に記載の画像処理装置。
【発明の詳細な説明】
【技術分野】
【０００１】
本発明は、画像処理装置に関する。
【背景技術】
【０００２】
近年、ＳＮＳ（ソーシャルネットワーキングサービス）などのソーシャルメディアが広く利用されている。ソーシャルメディアの利用者は、スマートフォンやパーソナルコンピューターを用いて、ソーシャルメディアに所望の情報を投稿する（たとえば、特許文献１参照）。
【０００３】
ソーシャルメディアに投稿可能な情報の種類は様々である。たとえば、文章を投稿することもできるし、写真を投稿することもできる。
【先行技術文献】
【特許文献】
【０００４】
【特許文献１】特開２０１５−３２２５３号公報
【発明の概要】
【発明が解決しようとする課題】
【０００５】
ソーシャルメディアの利用者によっては、原稿に記載された原稿情報（文章や写真）をソーシャルメディアに投稿したい場合がある。ソーシャルメディアに原稿情報を投稿するには、スマートフォンやパーソナルコンピューターを用いて、原稿情報を撮影したり、原稿情報をテキスト入力したりしなければならない。したがって、ソーシャルメディアの利用者にとっては利便性が悪い。
【０００６】
本発明は、上記課題を解決するためになされたものであり、ソーシャルメディアに原稿情報を投稿するときの利便性を向上させることが可能な画像処理装置を提供することを目的とする。
【課題を解決するための手段】
【０００７】
上記目的を達成するため、本発明の画像処理装置は、通信を行うための通信部と、原稿を読み取って読取データを生成する画像読取部と、原稿に記載された情報である原稿情報をソーシャルメディアに投稿するための投稿データを読取データに基づき生成し、通信部を用いて、ソーシャルメディアを提供するサーバーに投稿データを送信する制御部と、を備える。
【発明の効果】
【０００８】
本発明の構成では、ソーシャルメディアに原稿情報を投稿するときの利便性を向上させることができる。
【図面の簡単な説明】
【０００９】
【図１】本発明の一実施形態による画像形成装置の構成を示すブロック図
【図２】本発明の一実施形態による画像形成装置の構成を示す概略図
【図３】本発明の一実施形態による画像形成装置の制御部が行う処理の流れを示すフローチャート
【図４】本発明の一実施形態による画像形成装置の操作パネルに表示されるホーム画面を示す図
【図５】本発明の一実施形態による画像形成装置の操作パネルに表示される設定画面を示す図
【図６】本発明の一実施形態による画像形成装置からソーシャルメディアに投稿される原稿情報（テキスト）を示す図
【図７】本発明の一実施形態による画像形成装置からソーシャルメディアに投稿される原稿情報（画像）を示す図
【図８】本発明の一実施形態による画像形成装置からソーシャルメディアに投稿される原稿情報（テキストおよび画像）を示す図
【図９】本発明の一実施形態による画像形成装置の操作パネルに表示される通常受付画面を示す図
【図１０】本発明の一実施形態による画像形成装置の操作パネルに表示される第１受付画面を示す図
【図１１】本発明の一実施形態による画像形成装置の操作パネルに表示される第２受付画面を示す図
【発明を実施するための形態】
【００１０】
以下に、本発明の一実施形態による画像処理装置について、スキャン機能など複数種の機能を搭載する画像形成装置（複合機）を例にとって説明する。
【００１１】
＜画像形成装置の構成＞
図１に示すように、本実施形態の画像形成装置１００（「画像処理装置」に相当）は、制御部１および記憶部２を備える。制御部１は、ＣＰＵを含む。制御部１は、制御プログラムおよび制御データに基づき、画像形成装置１００の各部を制御する。記憶部２は、ＲＯＭおよびＲＡＭなどの記憶デバイスを含む。記憶部２は、制御部１に接続される。制御プログラムおよび制御データは記憶部２に記憶される。
【００１２】
また、画像形成装置１００は、画像読取部３および印刷部４を備える。制御部１は、画像読取部３の読取動作を制御するとともに、印刷部４の印刷動作を制御する。画像読取部３および印刷部４の概略図を図２に示す。
【００１３】
画像読取部３は、原稿Ｄを読み取って読取データ（原稿Ｄの画像データ）を生成する。画像読取部３は、プラテンガラスＰＧを備える。原稿ＤはプラテンガラスＰＧ上にセットされる。
【００１４】
また、画像読取部３は、原稿Ｄを光学的に読み取る光学系ユニットを備える。光学系ユニットは、光源３１およびイメージセンサー３２を含む。光源３１は、プラテンガラスＰＧ上の原稿Ｄに光を照射する。イメージセンサー３２は、原稿Ｄで反射された反射光を受光し光電変換する。
【００１５】
印刷部４は、用紙カセットＣＡから用紙搬送路４０（図２では、破線で示す）に用紙Ｐを給紙し、用紙搬送路４０に沿って用紙Ｐを搬送する。そして、印刷部４は、搬送中の用紙Ｐに対して印刷を行う。
【００１６】
図１に戻り、画像形成装置１００は、操作パネル５を備える。操作パネル５は、タッチスクリーンを含む。タッチスクリーンは、種々の画面を表示し、表示画面に対するタッチ操作をユーザーから受け付ける。また、操作パネル５には、ハードウェアボタンが設けられる。ハードウェアボタンには、画像読取部３による原稿Ｄの読み取りの実行要求をユーザーから受け付けるためのスタートボタンなどがある。
【００１７】
操作パネル５は、制御部１に接続される。制御部１は、操作パネル５の表示動作を制御する。また、制御部１は、操作パネル５に対して行われた操作を検知する。制御部１は、プラテンガラスＰＧ上に原稿Ｄが載置された状態で、操作パネル５のスタートボタンに対する操作を検知すると、画像読取部３に原稿Ｄの読み取りを行わせる。
【００１８】
また、画像形成装置１００は、通信部６を備える。通信部６は、インターネットなどのネットワークＮＴに画像形成装置１００を接続するための通信インターフェースである。通信部６は、通信用回路および通信用メモリーなどを含む。通信部６は、制御部１に接続される。制御部１は、通信部６を用いて、ネットワークＮＴに接続された外部機器と通信する。
【００１９】
ネットワークＮＴには、ソーシャルメディアを提供するサーバー２００が接続される。ソーシャルメディアの提供業者によってサーバー２００が管理される。以下の説明では、複数の異なるソーシャルメディアをそれぞれ提供する複数のサーバー２００がネットワークＮＴに接続されているとする。
【００２０】
＜ソーシャルメディアへの投稿＞
画像形成装置１００には、ソーシャルメディアに関するアプリケーションＡＰ（以下、アプリＡＰと略称する）がインストールされる。アプリＡＰは記憶部２に記憶される。画像形成装置１００にアプリＡＰをインストールすることにより、画像形成装置１００からソーシャルメディアに情報を投稿することができる。
【００２１】
ソーシャルメディアに情報を投稿する処理（以下、投稿処理と称する）は制御部１が行う。投稿処理を行うとき、制御部１は、ソーシャルメディアに情報を投稿するための投稿データを生成する。そして、制御部１は、通信部６を用いて、複数のソーシャルメディアのうちユーザー指定のソーシャルメディアのサーバー２００に投稿データを送信する。これにより、ユーザー指定のソーシャルメディアに情報が投稿される。
【００２２】
ここで、制御部１は、画像読取部３による原稿Ｄの読み取りで得られた読取データに基づき、原稿Ｄに記載された情報である原稿情報をソーシャルメディアに投稿するための投稿データを生成する。これにより、原稿情報をソーシャルメディアに投稿することができる。原稿Ｄに記載された文章をソーシャルメディアに投稿することもできるし、原稿Ｄに記載された図（写真も含む）をソーシャルメディアに投稿することもできる。
【００２３】
以下に、図３に示すフローチャートを参照し、制御部１により行われる投稿処理の流れについて説明する。たとえば、操作パネル５は、図４に示すようなホーム画面ＨＳを表示する。ホーム画面ＨＳには、「Ｓｏｃｉａｌ  Ｍｅｄｉａ」と表記されたボタンＳＢを含む複数のボタンが配される。制御部１は、ボタンＳＢに対する操作を検知すると、図３に示すフローチャートに沿った処理（投稿処理）を開始する。
【００２４】
ステップＳ１において、制御部１は、ソーシャルメディアに投稿する原稿情報の種類をテキストおよび画像から指定する種類指定操作の受け付けを操作パネル５に行わせる。操作パネル５は、種類指定操作を受け付けるとき、図５に示すような設定画面ＳＳを表示する。設定画面ＳＳには、ボタンＢ１、Ｂ２およびＢ３が配される。操作パネル５は、ボタンＢ１〜Ｂ３のいずれかに対する操作を種類指定操作として受け付ける。
【００２５】
ボタンＢ１に対する操作を検知した場合、制御部１は、ソーシャルメディアにテキストを投稿する旨を受け付けた（種類指定操作で指定された原稿情報の種類がテキストである）と判断する。ボタンＢ２に対する操作を検知した場合、制御部１は、ソーシャルメディアに画像を投稿する旨を受け付けた（種類指定操作で指定された原稿情報の種類が画像である）と判断する。ボタンＢ３に対する操作を検知した場合、制御部１は、テキストおよび画像をソーシャルメディアに投稿する旨を受け付けた（種類指定操作で指定された原稿情報の種類がテキストおよび画像である）と判断する。
【００２６】
図３に戻り、ステップＳ２において、制御部１は、画像読取部３に原稿Ｄの読み取りを行わせる。たとえば、操作パネル５は、種類指定操作を受け付けると、「原稿をセットしてスタートボタンを押してください」といったメッセージを表示する。これにより、コンタクトＰＧ上に原稿Ｄがセットされ、操作パネル５のスタートボタンが操作される。
【００２７】
ステップＳ３において、制御部１は、原稿Ｄの読み取りで得られた読取データを取得する。そして、制御部１は、種類指定操作で指定された種類の原稿情報をソーシャルメディアに投稿するための投稿データを生成する。このとき、制御部１は、読取データに対してレイアウト解析を行うことにより、読取データに存在する文字領域と画像領域とを認識する。
【００２８】
ソーシャルメディアにテキストを投稿する旨を受け付けた場合（ボタンＢ１が操作された場合）、制御部１は、読取データの文字領域に対して文字認識処理（ＯＣＲ処理）を行うことにより、読取データの文字領域からテキストデータを抽出する。そして、制御部１は、当該抽出したテキストデータを含む投稿データを生成する。言い換えると、制御部１は、原稿Ｄに記載された文章をソーシャルメディアに投稿するための投稿データを生成する。
【００２９】
ソーシャルメディアに画像を投稿する旨を受け付けた場合（ボタンＢ２が操作された場合）、制御部１は、読取データの画像領域の画像データを含む投稿データを生成する。言い換えると、制御部１は、原稿Ｄに記載された図をソーシャルメディアに投稿するための投稿データを生成する。
【００３０】
テキストおよび画像の両方をソーシャルメディアに投稿する旨を受け付けた場合（ボタンＢ３が操作された場合）、制御部１は、読取データの文字領域から抽出したテキストデータおよび読取データの画像領域の画像データを含む投稿データを生成する。言い換えると、制御部１は、原稿Ｄに記載された文章および図をソーシャルメディアに投稿するための投稿データを生成する。
【００３１】
ステップＳ４において、制御部１は、複数のソーシャルメディアのいずれかを投稿先に設定する投稿先設定処理を行う。投稿先設定処理については後述する。そして、ステップＳ５において、制御部１は、通信部６を用いて、投稿先設定処理で投稿先に設定したソーシャルメディアのサーバー２００に投稿データを送信する。
【００３２】
たとえば、図６〜図８の各上図に示すような原稿Ｄの読み取りが行われたとする。この場合、制御部１は、原稿Ｄの読み取りで得られた読取データのうち、原稿Ｄの領域１１に対応する領域を文字領域と認識し、原稿Ｄの領域１２に対応する領域を画像領域と認識する。
【００３３】
これにより、種類指定操作でテキストを指定した場合には、図６下図に示すような原稿情報（領域１１から抽出されたテキストデータ）がソーシャルメディアに投稿される。種類指定操作で画像を指定した場合には、図７下図に示すような原稿情報（領域１２の画像データ）がソーシャルメディアに投稿される。種類指定操作でテキストおよび画像を指定した場合には、図８下図に示すような原稿情報がソーシャルメディアに投稿される。
【００３４】
＜投稿先の設定＞
以下、画像形成装置１００からの投稿が可能なソーシャルメディアが３つ存在するものとして説明する。以下の説明では、便宜上、３つのソーシャルメディアにそれぞれ符号ＳＭ１、ＳＭ２およびＳＭ３を付す。
【００３５】
制御部１は、投稿先設定処理の一処理として、ソーシャルメディアＳＭ１〜Ｍ３のいずれかを優先メディアに設定する優先メディア設定処理を行う。ここで、優先メディア設定処理には、第１処理、第２処理、第３処理および第４処理がある。制御部１は、第１〜第４処理のいずれかを行う。なお、優先メディア設定処理が行われなくてもよい。
【００３６】
まず、優先メディア設定処理を行わない場合について説明する。優先メディア設定処理を行わない場合、制御部１は、全てのソーシャルメディアＳＭ１〜ＳＭ３の中から投稿先を指定する通常指定操作の受け付けを操作パネル５に行わせる。このとき、操作パネル５は、図９に示すような通常受付画面５０を表示する。通常受付画面５０には、アイコンＣ１、Ｃ２およびＣ３が配される。アイコンＣ１はソーシャルメディアＳＭ１に対応し、アイコンＣ２はソーシャルメディアＳＭ２に対応し、アイコンＣ３はソーシャルメディアＳＭ３に対応する。図９では、ソーシャルメディアに割り当てた符号を対応するアイコン内に付す。以下の説明で参照する図面についても同様とする。
【００３７】
操作パネル５は、通常受付画面５０に配されたアイコンＣ１〜Ｃ３のいずれかに対する操作を通常指定操作として受け付ける。制御部１は、アイコンＣ１〜Ｃ３のうち操作されたアイコンを認識し、当該認識したアイコンに対応するソーシャルメディアを投稿先に設定する。そして、制御部１は、投稿先に設定したソーシャルメディアのサーバー２００に投稿データを送信する。たとえば、アイコンＣ１を操作した場合には、ソーシャルメディアＳＭ１が投稿先に設定される。
【００３８】
次に、優先メディア設定処理（第１〜第４処理）を行う場合について説明する。
【００３９】
第１処理を行う場合、制御部１は、読取データから所定情報を検出する処理を行い、読取データに所定情報が存在するか否かを判断する。所定情報は記憶部２に記憶される。所定情報の内容は特に限定されない。たとえば、ハッシュタグと称される文字列（ハッシュマーク「＃」を頭文字とする文字列）が所定情報とされる。
【００４０】
そして、制御部１は、読取データに所定情報が存在するとき、ソーシャルメディアＳＭ１〜ＳＭ３のうち、読取データに所定情報が存在する場合の投稿先として予め定められたソーシャルメディアを優先メディアに設定し、他のソーシャルメディアは優先メディアに設定しない。読取データに所定情報が存在する場合の投稿先の設定候補はユーザーによって予め定められる。当該設定候補を示す情報は記憶部２に記憶される。一例として、ハッシュタグの利用が可能なソーシャルメディアが設定候補とされる。
【００４１】
第２処理を行う場合、制御部１は、投稿する原稿情報の種類（種類指定操作で指定された原稿情報の種類）がテキストであるか否かを判断する。投稿する原稿情報の種類がテキストである場合、制御部１は、読取データの文字領域に対する文字認識処理で抽出したテキストデータの文字数を認識し、当該認識した文字数に基づき、ソーシャルメディアＳＭ１〜ＳＭ３のいずれかを優先メディアに設定する。
【００４２】
たとえば、制御部１は、テキストデータの文字数が予め定められた閾値以下であるか否かを判断する。そして、制御部１は、テキストデータの文字数が閾値以下であるとき、ソーシャルメディアＳＭ１〜ＳＭ３のうち、テキストデータの文字数が閾値以下である場合の投稿先として予め定められたソーシャルメディアを優先メディアに設定し、他のソーシャルメディアは優先メディアに設定しない。テキストデータの文字数が閾値以下である場合の投稿先の設定候補はユーザーによって予め定められる。当該設定候補を示す情報は記憶部２に記憶される。一例として、文字数が閾値以下の文章（テキスト）しか投稿できないソーシャルメディアが設定候補とされる。
【００４３】
第３処理を行う場合、制御部１は、投稿する原稿情報の種類（種類指定操作で指定された原稿情報の種類）が画像であるか否かを判断する。投稿する原稿情報の種類が画像である場合、制御部１は、ソーシャルメディアＳＭ１〜ＳＭ３のうち、投稿する原稿情報の種類が画像である場合の投稿先として予め定められたソーシャルメディアを優先メディアに設定し、他のソーシャルメディアは優先メディアに設定しない。投稿する原稿情報の種類が画像である場合の投稿先の設定候補はユーザーによって予め定められる。当該設定候補を示す情報は記憶部２に記憶される。一例として、写真（画像）を投稿対象とするソーシャルメディアが設定候補とされる。
【００４４】
第４処理を行う場合、制御部１は、ソーシャルメディアＳＭ１〜ＳＭ３への各ログイン回数を認識する。各ログイン回数を示す情報は記憶部２に記憶される。そして、制御部１は、ソーシャルメディアＳＭ１〜ＳＭ３のうち、ログイン回数が最も多いソーシャルメディアを優先メディアに設定し、他のソーシャルメディアは優先メディアに設定しない。
【００４５】
優先メディアの設定後、制御部１は、優先メディアを投稿先に設定するか否かの受け付けを操作パネル５に行わせる。操作パネル５は、図１０に示すような第１受付画面５１を表示し、優先メディアを投稿先に設定するか否かを受け付ける。
【００４６】
第１受付画面５１には、優先メディアに対応するアイコンだけが配される。なお、第１受付画面５１に配された優先メディアのアイコンは「第１アイコン」に相当する。以下の説明では、第１受付画面５１に配された優先メディアのアイコンを「第１アイコン」と称する。また、第１受付画面５１には、「Ｏｔｈｅｒ」と表記されたボタンＢが配される。
【００４７】
一例として、図１０には、ソーシャルメディアＳＭ１のアイコンＣ１だけが配された第１受付画面５１を図示する。ソーシャルメディアＳＭ１が優先メディアに設定されると、図１０に示すような第１受付画面５１が表示される。
【００４８】
第１受付画面５１の表示後、第１アイコンに対する操作を検知すると、制御部１は、優先メディアを投稿先に設定する旨を受け付けた（優先メディアに原稿情報を投稿する旨を受け付けた）と判断する。この場合、制御部１は、操作を受けた第１アイコンに対応する優先メディアのサーバー２００に投稿データを送信する。すなわち、制御部１は、操作を受けた第１アイコンに対応する優先メディアを投稿先に設定する。図１０に示す例において、アイコンＣ１に対して操作を行うと、ソーシャルメディアＳＭ１に投稿データが送信される（ソーシャルメディアＳＭ１に原稿情報が投稿される）。
【００４９】
一方で、ボタンＢに対する操作を検知すると、制御部１は、優先メディア以外のソーシャルメディアである非優先メディアを投稿先に設定する旨（優先メディアを投稿先に設定しない旨）を受け付けたと判断する。すなわち、制御部１は、非優先メディアに原稿情報を投稿する旨を受け付けたと判断する。この場合、制御部１は、図１１に示すような第２受付画面５２を操作パネル５に表示させる。
【００５０】
第２受付画面５２には、非優先メディアに対応するアイコンが配される。なお、第２受付画面５２に配された非優先メディアのアイコンは「第２アイコン」に相当する。以下の説明では、第２受付画面５２に配された非優先メディアのアイコンを「第２アイコン」と称する。
【００５１】
一例として、図１１には、ソーシャルメディアＳＭ２のアイコンＣ２およびソーシャルメディアＳＭ３のアイコンＣ３が配された第２受付画面５２を図示する。ソーシャルメディアＳＭ１が優先メディアに設定された場合において、第１受付画面５１のボタンＢが操作されると、図１１に示すような第２受付画面５２が表示される。
【００５２】
第２受付画面５２の表示後、第２アイコンに対する操作を検知すると、制御部１は、非優先メディアを投稿先に設定する旨を受け付けた（非優先メディアに原稿情報を投稿する旨を受け付けた）と判断する。この場合、制御部１は、操作を受けた第２アイコンに対応する非優先メディアのサーバー２００に投稿データを送信する。すなわち、制御部１は、操作を受けた第２アイコンに対応する非優先メディアを投稿先に設定する。図１１に示す例において、アイコンＣ２に対して操作を行うと、ソーシャルメディアＳＭ２に投稿データが送信される（ソーシャルメディアＳＭ２に原稿情報が投稿される）。アイコンＣ３に対して操作を行うと、ソーシャルメディアＳＭ３に投稿データが送信される（ソーシャルメディアＳＭ３に原稿情報が投稿される）。
【００５３】
＜テキストデータの変換＞
画像形成装置１００には、ソーシャルメディアに投稿する原稿情報（文章）の一部をユーザー所望の表現に変換する変換機能が搭載される。変換機能を利用することにより、たとえば、文章中の「でございます」を「です」や「だね」に変換することができる。すなわち、文章の文字数を減らしたり、文章を口語表現に変えたりすることができる。
【００５４】
変換機能を利用するには、予め変換情報を登録しておく必要がある。ユーザーにより登録された変換情報は記憶部２に記憶される。
【００５５】
変換情報の登録は操作パネル５が受け付ける。操作パネル５は、変換対象単語の入力を受け付けるとともに、当該入力された変換対象単語に対応する変換後の単語の入力を受け付ける。制御部１は、変換対象単語と変換後の単語とを対応付けた情報を変換情報として記憶部２に記憶させる。変換対象単語が複数存在する場合には、変換対象単語ごとに変換情報が記憶部２に記憶される。たとえば、変換対象単語および変換後の単語はそれぞれ日本語である。
【００５６】
制御部１は、テキストデータを含む投稿データを生成する場合、操作パネル５に変換指示の受け付けを行わせる。操作パネル５が変換指示を受け付けると、制御部１は、投稿データに含めるテキストデータから変換対象単語を検索する。そして、テキストデータに変換対象単語が存在する場合、制御部１は、テキストデータに存在する変換対象単語を対応する単語に変換する。
【００５７】
本実施形態の画像形成装置１００（画像処理装置）は、上記のように、通信を行うための通信部６と、原稿Ｄを読み取って読取データを生成する画像読取部３と、原稿Ｄに記載された情報である原稿情報をソーシャルメディアに投稿するための投稿データを読取データに基づき生成し、通信部６を用いて、ソーシャルメディアを提供するサーバー２００に投稿データを送信する制御部１と、を備える。
【００５８】
この構成では、画像形成装置１００（画像読取部３）に原稿Ｄの読み取りを行わせることにより、原稿Ｄに記載された原稿情報をソーシャルメディアに投稿することができる。これにより、ソーシャルメディアに投稿したい情報が原稿情報であっても、原稿情報を撮影したり原稿情報をテキスト入力したりする必要がない。その結果、ソーシャルメディアに原稿情報を投稿するときの利便性が向上する。
【００５９】
また、本実施形態の構成では、操作パネル５は、ソーシャルメディアに投稿する原稿情報の種類をテキストおよび画像から指定する種類指定操作を受け付ける。種類指定操作で指定された原稿情報の種類がテキストである場合、制御部１は、読取データの文字領域に対する文字認識処理で抽出したテキストデータを含む投稿データを生成する。種類指定操作で指定された原稿情報の種類が画像である場合、制御部１は、読取データの画像領域の画像データを含む投稿データを生成する。種類指定操作で指定された原稿情報の種類がテキストおよび画像である場合、制御部１は、テキストデータおよび画像データを含む投稿データを生成する。これにより、文章（テキスト）や図（画像）など複数種の情報が原稿Ｄに記載されていても、ユーザー所望の情報だけをソーシャルメディアに投稿することができる。
【００６０】
また、本実施形態の構成では、制御部１は、複数のソーシャルメディアのいずれかを優先メディアに設定する（優先メディア設定処理を行う）。そして、操作パネル５は、複数のソーシャルメディアにそれぞれ対応する複数のアイコンのうち優先メディアのアイコンである第１アイコンだけを配した第１受付画面５１を表示する。制御部１は、優先メディア設定処理として、第１〜第４処理のいずれかを行う。これにより、投稿先を選択するときの利便性が向上する。
【００６１】
また、本実施形態の構成では、操作パネル５は、第１受付画面５１（第１アイコン）の表示中、所定操作を受け付けると、優先メディア以外のソーシャルメディアのアイコンである第２アイコンを配した第２受付画面５２を表示する。これにより、所望のソーシャルメディアに対応するアイコンが第１受付画面５１に無くても（所望のソーシャルメディアが優先メディアに設定されていなくても）、容易に、所望のソーシャルメディアを投稿先に設定することができる。
【００６２】
また、本実施形態の構成では、記憶部２は、変換対象単語と変換対象単語に対応する変換後の単語とを示す変換情報を記憶する。制御部１は、テキストデータを含む投稿データを生成する場合、操作パネル５が変換指示を受け付けると、テキストデータに存在する変換対象単語を対応する単語に変換する。これにより、容易に、ソーシャルメディアに投稿する文章の文字数を減らすことができるとともに、ソーシャルメディアに投稿する文章の表現を変えることができる。ユーザーからすると、自身で文章の編集を行わなくてもよいので、利便性が良い。
【００６３】
今回開示された実施形態は、すべての点で例示であって、制限的なものではないと考えられるべきである。本発明の範囲は、上記実施形態の説明ではなく特許請求の範囲によって示され、さらに、特許請求の範囲と均等の意味および範囲内でのすべての変更が含まれる。
【符号の説明】
【００６４】
１  制御部
２  記憶部
３  画像読取部
５  操作パネル
６  通信部
１００  画像形成装置（画像処理装置）
【図１】
2020099017.tif 000003
【図２】
2020099017.tif 000004
【図３】
2020099017.tif 000005
【図４】
2020099017.tif 000006
【図５】
2020099017.tif 000007
【図６】
2020099017.tif 000008
【図７】
2020099017.tif 000009
【図８】
2020099017.tif 000010
【図９】
2020099017.tif 000011
【図１０】
2020099017.tif 000012
【図１１】
2020099017.tif 000013